(57)【要約】【課題】受信側が受信可能なサイズを超過した画像データを、効果的な方法で送信することができる画像処理装置、画像処理システム、画像処理方法、画像処理プログラム及び記憶媒体を提供することを目的とする。【解決手段】原稿画像を画像データとして読み込む画像読込手段１１０を有し、前記画像読込手段１１０により読み込まれた画像データを外部装置に送信する画像処理装置１であって、前記画像読込手段１１０により読み込まれた画像データのサイズが所定のサイズを超過しているか否かを判定するサイズ超過判定手段１２０と、前記サイズ超過判定手段１２０により前記画像データのサイズが所定のサイズを超過していると判定されると、前記画像データに所定の対応処理を施す超過対応処理手段１３０とを有することを特徴とする画像処理装置１。【選択図】図２
2008147962.tif 000002
【特許請求の範囲】
【請求項１】
原稿画像を画像データとして読み込む画像読込手段を有し、前記画像読込手段により読み込まれた画像データを外部装置に送信する画像処理装置であって、
前記画像読込手段により読み込まれた画像データのサイズが所定のサイズを超過しているか否かを判定するサイズ超過判定手段と、
前記サイズ超過判定手段により前記画像データのサイズが所定のサイズを超過していると判定されると、前記画像データに所定の対応処理を施す超過対応処理手段と、
を有することを特徴とする画像処理装置。
【請求項２】
原稿画像を画像データとして読み込む画像読込手段を有し、前記画像読込手段により読み込まれた画像データを外部装置に送信する画像処理装置であって、
前記画像読込手段により読み込まれた画像データを送信する送信手段と、
前記送信手段における送信エラーを検出する送信エラー検出手段と、
前記送信エラー検出手段により検出された送信エラーに基づいて、前記送信手段により送信された画像データのサイズが所定のサイズを超過しているか否かを判定するサイズ超過判定手段と、
前記サイズ超過判定手段により前記画像データのサイズが所定のサイズを超過していると判定されると、前記画像データに所定の対応処理を施す超過対応処理手段と、
を有し、
前記送信手段は、前記超過対応処理手段により所定の対応処理を施された前記画像データを再送信することを特徴とする画像処理装置。
【請求項３】
原稿画像を画像データとして読み込む画像読込手段を有し、前記画像読込手段により読み込まれた画像データを外部装置に送信する画像処理装置であって、
前記画像読込手段により読み込まれた画像データのサイズが所定のサイズを超過しているか否かを判定するサイズ超過判定手段と、
前記サイズ超過判定手段により前記画像データのサイズが所定のサイズを超過していると判定されると、前記外部装置に送信エラー通知を行うエラー通知手段と、
前記外部装置から超過対応処理の命令を受信する受信手段と、
前記受信手段により受信した超過対応処理の命令に基づいて前記画像データに所定の対応処理を施す超過対応処理手段と、
を有することを特徴とする画像処理装置。
【請求項４】
画像データを記憶する画像データ記憶手段を有し、前記画像データ記憶手段に記憶された画像データを外部装置に送信する画像処理装置であって、
前記画像データ記憶手段により記憶された画像データのサイズが所定のサイズを超過しているか否かを判定するサイズ超過判定手段と、
前記サイズ超過判定手段により前記画像データのサイズが所定のサイズを超過していると判定されると、前記画像データに所定の対応処理を施す超過対応処理手段と、
を有することを特徴とする画像処理装置。
【請求項５】
画像データを記憶する画像データ記憶手段を有し、前記画像データ記憶手段に記憶された画像データを外部装置に送信する画像処理装置であって、
前記画像データ記憶手段により記憶された画像データを送信する送信手段と、
前記送信手段における送信エラーを検出する送信エラー検出手段と、
前記送信エラー検出手段により検出された送信エラーに基づいて、前記送信手段により送信された画像データのサイズが所定のサイズを超過しているか否かを判定するサイズ超過判定手段と、
前記サイズ超過判定手段により前記画像データのサイズが所定のサイズを超過していると判定されると、前記画像データに所定の対応処理を施す超過対応処理手段と、
を有し、
前記送信手段は、前記超過対応処理手段により所定の対応処理を施された前記画像データを再送信することを特徴とする画像処理装置。
【請求項６】
画像データを記憶する画像データ記憶手段を有し、前記画像データ記憶手段に記憶された画像データを外部装置に送信する画像処理装置であって、
前記画像読込手段により読み込まれた画像データのサイズが所定のサイズを超過しているか否かを判定するサイズ超過判定手段と、
前記サイズ超過判定手段により前記画像データのサイズが所定のサイズを超過していると判定されると、前記外部装置に送信エラー通知を行うエラー通知手段と、
前記外部装置から超過対応処理の命令を受信する受信手段と、
前記受信手段により受信した超過対応処理の命令に基づいて前記画像データに所定の対応処理を施す超過対応処理手段と、
を有することを特徴とする画像処理装置。
【請求項７】
アプリケーションデータを画像データとして記憶するファイル記憶手段を有し、前記ファイル記憶手段により記憶された画像データを外部装置に送信する画像処理装置であって、
前記ファイル記憶手段により記憶された画像データのサイズが所定のサイズを超過しているか否かを判定するサイズ超過判定手段と、
前記サイズ超過判定手段により前記画像データのサイズが所定のサイズを超過していると判定されると、前記画像データに所定の対応処理を施す超過対応処理手段と、
を有することを特徴とする画像処理装置。
【請求項８】
アプリケーションデータを画像データとして記憶するファイル記憶手段を有し、前記ファイル記憶手段により記憶された画像データを外部装置に送信する画像処理装置であって、
前記ファイル記憶手段により記憶された画像データを送信する送信手段と、
前記送信手段における送信エラーを検出する送信エラー検出手段と、
前記送信エラー検出手段により検出された送信エラーに基づいて、前記送信手段により送信された画像データのサイズが所定のサイズを超過しているか否かを判定するサイズ超過判定手段と、
前記サイズ超過判定手段により前記画像データのサイズが所定のサイズを超過していると判定されると、前記画像データに所定の対応処理を施す超過対応処理手段と、
を有し、
前記送信手段は、前記超過対応処理手段により所定の対応処理を施された前記画像データを再送信することを特徴とする画像処理装置。
【請求項９】
アプリケーションデータを画像データとして記憶するファイル記憶手段を有し、前記ファイル記憶手段により記憶された画像データを外部装置に送信する画像処理装置であって、
前記ファイル記憶手段により記憶された画像データのサイズが所定のサイズを超過しているか否かを判定するサイズ超過判定手段と、
前記サイズ超過判定手段により前記画像データのサイズが所定のサイズを超過していると判定されると、前記外部装置に送信エラー通知を行うエラー通知手段と、
前記外部装置から超過対応処理の命令を受信する受信手段と、
前記受信手段により受信した超過対応処理の命令に基づいて前記画像データに所定の対応処理を施す超過対応処理手段と、
を有することを特徴とする画像処理装置。
【請求項１０】
原稿画像を画像データとして読み込む画像読込手段を有し、前記画像読込手段により読み込まれた画像データを外部装置に送信する画像処理装置と、該画像処理装置から画像データを受信する外部装置とを有する画像処理システムであって、
前記画像読込手段により読み込まれた画像データのサイズが所定のサイズを超過しているか否かを判定するサイズ超過判定手段と、
前記サイズ超過判定手段により前記画像データのサイズが所定のサイズを超過していると判定されると、前記画像データの分割を施す超過対応処理手段と、
前記超過対応処理手段により分割を施された画像データを結合する結合手段と、
を有することを特徴とする画像処理装置。
【請求項１１】
原稿画像を画像データとして読み込む画像読込部を有し、前記画像読込部において読み込まれた画像データを外部装置に送信する画像処理装置における画像処理方法であって、
前記画像読込部において読み込まれた画像データのサイズが所定のサイズを超過しているか否かを判定するサイズ超過判定工程と、
前記サイズ超過判定工程において前記画像データのサイズが所定のサイズを超過していると判定されると、前記画像データに所定の対応処理を施す超過対応処理工程と、
を有することを特徴とする画像処理方法。
【請求項１２】
請求項１１に記載の画像処理方法をコンピュータに実現させるための画像処理プログラム。
【請求項１３】
請求項１２に記載の画像処理プログラムを記憶するための記録媒体。
【発明の詳細な説明】
【技術分野】
【０００１】
本発明は、画像処理装置、画像処理システム、画像処理方法、画像処理プログラム及び記憶媒体に関する。
【背景技術】
【０００２】
従来、インターネットファクシミリでは、ＬＡＮ（Ｌｏｃａｌ  Ａｒｅａ  Ｎｅｔｗｏｒｋ）に接続したファクシミリサーバを設け、電子メール形式でファクシミリを送受信する。ファクシミリサーバは、例えばＧ３等のファクシミリ装置にＬＡＮインターフェースを追加したものである。
【０００３】
このようなインターネットファクシミリに関する種々の発明がなされてきた。
【０００４】
特許文献１に開示された発明では、送信側（メールサーバ）から受信側（ファクシミリサーバ）宛に送られたファイルサイズが、受信側の受信可能なサイズを超過時に、受信側は、ヘッダのみを受信し、エラーの発生を通知する技術が開示されている。これにより、ヘッダのみを受信するので、メモリ容量の限られているファクシミリサーバでも、サイズ超過の電子メールに対処できるなどの効果がある。
【０００５】
特許文献２に開示された発明では、送信側（メールサーバ）から受信側（ファクシミリサーバ）宛に送られたファイルサイズが、受信側の受信可能なサイズを超過時に、受信側は、所定の宛先（例えば、電子メールの送信元）に再送信し、受信メモリをクリアする技術が開示されている。これにより、メモリ容量の限られているファクシミリサーバでも、受信可能なサイズを超過した電子メール等により、システムエラーを起こす恐れがないなどの効果がある。
【特許文献１】特開２００１―３３９４２３号公報
【特許文献２】特許３６０３７５９号
【発明の開示】
【発明が解決しようとする課題】
【０００６】
しかしながら、特許文献１に開示された発明では、受信側はヘッダの情報しか得られないという問題があった。また、特許文献２に開示された発明では、受信側はファイルを受信できない（別の場所に転送されてしまう）という問題があった。
【０００７】
本発明は、上記の点に鑑みて、この問題を解消するために発明されたものであり、受信側が受信可能なサイズを超過した画像データを、効果的な方法で送信することができる画像処理装置、画像処理システム、画像処理方法、画像処理プログラム及び記憶媒体を提供することを目的とする。
【課題を解決するための手段】
【０００８】
上記の目的を達成するために、本発明の画像処理装置は、原稿画像を画像データとして読み込む画像読込手段を有し、前記画像読込手段により読み込まれた画像データを外部装置に送信する画像処理装置であって、前記画像読込手段により読み込まれた画像データのサイズが所定のサイズを超過しているか否かを判定するサイズ超過判定手段と、前記サイズ超過判定手段により前記画像データのサイズが所定のサイズを超過していると判定されると、前記画像データに所定の対応処理を施す超過対応処理手段とを有するように構成することができる。
【０００９】
これにより、受信側である外部装置が受信可能なサイズを超過した画像データを、効果的な方法で送信することができる画像処理装置を提供することができる。送信する画像データは、ここでは画像読込手段により読み込まれた画像データである。
【００１０】
また、上記の目的を達成するために、本発明の画像処理装置は、原稿画像を画像データとして読み込む画像読込手段を有し、前記画像読込手段により読み込まれた画像データを外部装置に送信する画像処理装置であって、前記画像読込手段により読み込まれた画像データを送信する送信手段と、前記送信手段における送信エラーを検出する送信エラー検出手段と、前記送信エラー検出手段により検出された送信エラーに基づいて、前記送信手段により送信された画像データのサイズが所定のサイズを超過しているか否かを判定するサイズ超過判定手段と、前記サイズ超過判定手段により前記画像データのサイズが所定のサイズを超過していると判定されると、前記画像データに所定の対応処理を施す超過対応処理手段とを有し、前記送信手段は、前記超過対応処理手段により所定の対応処理を施された前記画像データを再送信するように構成することができる。
【００１１】
これにより、受信側である外部装置が受信可能なサイズを超過した画像データを、効果的な方法で送信することができる画像処理装置を提供することができる。送信する画像データは、ここでは画像読込手段により読み込まれた画像データである。
【００１２】
また、上記の目的を達成するために、本発明の画像処理装置は、原稿画像を画像データとして読み込む画像読込手段を有し、前記画像読込手段により読み込まれた画像データを外部装置に送信する画像処理装置であって、前記画像読込手段により読み込まれた画像データのサイズが所定のサイズを超過しているか否かを判定するサイズ超過判定手段と、前記サイズ超過判定手段により前記画像データのサイズが所定のサイズを超過していると判定されると、前記外部装置に送信エラー通知を行うエラー通知手段と、前記外部装置から超過対応処理の命令を受信する受信手段と、前記受信手段により受信した超過対応処理の命令に基づいて前記画像データに所定の対応処理を施す超過対応処理手段とを有するように構成することができる。
【００１３】
これにより、受信側である外部装置が受信可能なサイズを超過した画像データを、効果的な方法で送信することができる画像処理装置を提供することができる。送信する画像データは、ここでは画像読込手段により読み込まれた画像データである。  
また、上記の目的を達成するために、本発明の画像処理装置は、画像データを記憶する画像データ記憶手段を有し、前記画像データ記憶手段に記憶された画像データを外部装置に送信する画像処理装置であって、前記画像データ記憶手段により記憶された画像データのサイズが所定のサイズを超過しているか否かを判定するサイズ超過判定手段と、前記サイズ超過判定手段により前記画像データのサイズが所定のサイズを超過していると判定されると、前記画像データに所定の対応処理を施す超過対応処理手段とを有するように構成することができる。
【００１４】
これにより、受信側である外部装置が受信可能なサイズを超過した画像データを、効果的な方法で送信することができる画像処理装置を提供することができる。送信する画像データは、ここでは画像読込手段により読み込まれた画像データである。
【００１５】
また、上記の目的を達成するために、本発明の画像処理装置は、画像データを記憶する画像データ記憶手段を有し、前記画像データ記憶手段に記憶された画像データを外部装置に送信する画像処理装置であって、前記画像データ記憶手段により記憶された画像データを送信する送信手段と、前記送信手段における送信エラーを検出する送信エラー検出手段と、前記送信エラー検出手段により検出された送信エラーに基づいて、前記送信手段により送信された画像データのサイズが所定のサイズを超過しているか否かを判定するサイズ超過判定手段と、前記サイズ超過判定手段により前記画像データのサイズが所定のサイズを超過していると判定されると、前記画像データに所定の対応処理を施す超過対応処理手段とを有し、前記送信手段は、前記超過対応処理手段により所定の対応処理を施された前記画像データを再送信するように構成することができる。
【００１６】
これにより、受信側である外部装置が受信可能なサイズを超過した画像データを、効果的な方法で送信することができる画像処理装置を提供することができる。送信する画像データは、ここでは画像データ記憶手段により記憶された画像データである。
【００１７】
また、上記の目的を達成するために、本発明の画像処理装置は、画像データを記憶する画像データ記憶手段を有し、前記画像データ記憶手段に記憶された画像データを外部装置に送信する画像処理装置であって、前記画像読込手段により読み込まれた画像データのサイズが所定のサイズを超過しているか否かを判定するサイズ超過判定手段と、前記サイズ超過判定手段により前記画像データのサイズが所定のサイズを超過していると判定されると、前記外部装置に送信エラー通知を行うエラー通知手段と、前記外部装置から超過対応処理の命令を受信する受信手段と、前記受信手段により受信した超過対応処理の命令に基づいて前記画像データに所定の対応処理を施す超過対応処理手段とを有するように構成することができる。
【００１８】
これにより、受信側である外部装置が受信可能なサイズを超過した画像データを、効果的な方法で送信することができる画像処理装置を提供することができる。送信する画像データは、ここでは画像データ記憶手段により記憶された画像データである。
【００１９】
また、上記の目的を達成するために、本発明の画像処理装置は、アプリケーションデータを画像データとして記憶するファイル記憶手段を有し、前記ファイル記憶手段により記憶された画像データを外部装置に送信する画像処理装置であって、前記ファイル記憶手段により読み込まれた画像データのサイズが所定のサイズを超過しているか否かを判定するサイズ超過判定手段と、前記サイズ超過判定手段により前記画像データのサイズが所定のサイズを超過していると判定されると、前記画像データに所定の対応処理を施す超過対応処理手段と、を有するように構成することができる。
【００２０】
これにより、受信側である外部装置が受信可能なサイズを超過した画像データを、効果的な方法で送信することができる画像処理装置を提供することができる。送信する画像データは、ここではファイル記憶手段により記憶されたアプリケーションデータである。
【００２１】
また、上記の目的を達成するために、本発明の画像処理装置は、アプリケーションデータを画像データとして記憶するファイル記憶手段を有し、前記ファイル記憶手段により記憶された画像データを外部装置に送信する画像処理装置であって、前記ファイル記憶手段により読み込まれた画像データを送信する送信手段と、前記送信手段における送信エラーを検出する送信エラー検出手段と、前記送信エラー検出手段により検出された送信エラーに基づいて、前記送信手段により送信された画像データのサイズが所定のサイズを超過しているか否かを判定するサイズ超過判定手段と、前記サイズ超過判定手段により前記画像データのサイズが所定のサイズを超過していると判定されると、前記画像データに所定の対応処理を施す超過対応処理手段とを有し、前記送信手段は、前記超過対応処理手段により所定の対応処理を施された前記画像データを再送信するように構成することができる。
【００２２】
これにより、受信側である外部装置が受信可能なサイズを超過した画像データを、効果的な方法で送信することができる画像処理装置を提供することができる。送信する画像データは、ここではファイル記憶手段により記憶されたアプリケーションデータである。
【００２３】
また、上記の目的を達成するために、本発明の画像処理装置は、アプリケーションデータを画像データとして記憶するファイル記憶手段を有し、前記ファイル記憶手段により記憶された画像データを外部装置に送信する画像処理装置であって、前記ファイル記憶手段により記憶された画像データのサイズが所定のサイズを超過しているか否かを判定するサイズ超過判定手段と、前記サイズ超過判定手段により前記画像データのサイズが所定のサイズを超過していると判定されると、前記外部装置に送信エラー通知を行うエラー通知手段と、前記外部装置から超過対応処理の命令を受信する受信手段と、前記受信により受信した超過対応処理の命令に基づいて前記画像データに所定の対応処理を施す超過対応処理手段とを有するように構成することができる。
【００２４】
これにより、受信側である外部装置が受信可能なサイズを超過した画像データを、効果的な方法で送信することができる画像処理装置を提供することができる。送信する画像データは、ここでは画像読込手段により読み込まれたアプリケーションデータである。
【００２５】
また、上記の目的を達成するために、本発明の画像処理システムは、原稿画像を画像データとして読み込む画像読込手段を有し、前記画像読込手段により読み込まれた画像データを外部装置に送信する画像処理装置と、該画像処理装置から画像データを受信する外部装置とを有する画像処理システムであって、前記画像読込手段により読み込まれた画像データのサイズが所定のサイズを超過しているか否かを判定するサイズ超過判定手段と、前記サイズ超過判定手段により前記画像データのサイズが所定のサイズを超過していると判定されると、前記画像データの分割を施す超過対応処理手段と、前記超過対応処理手段により分割を施された画像データを結合する結合手段と、を有するように構成することができる。
【００２６】
これにより、受信側である外部装置が受信可能なサイズを超過した画像データを、画像データの分割により送信することができる画像処理システムを提供することができる。送信する画像データは、ここでは画像読込手段により読み込まれた画像データである。
【００２７】
また、上記の目的を達成するために、本発明の画像処理方法は、原稿画像を画像データとして読み込む画像読込部を有し、前記画像読込部において読み込まれた画像データを外部装置に送信する画像処理装置における画像処理方法であって、前記画像読込部において読み込まれた画像データのサイズが所定のサイズを超過しているか否かを判定するサイズ超過判定工程と、前記サイズ超過判定工程において前記画像データのサイズが所定のサイズを超過していると判定されると、前記画像データに所定の対応処理を施す超過対応処理工程とを有するように構成することができる。
【００２８】
これにより、受信側である外部装置が受信可能なサイズを超過した画像データを、効果的な方法で送信することができる画像処理装置における画像処理方法を提供することができる。送信する画像データは、ここでは画像読込手段により読み込まれた画像データである。
【００２９】
また、上記の目的を達成するために、本発明の画像処理プログラムは、前記画像処理方法をコンピュータに実現させるための画像処理プログラムであるように構成することができる。
【００３０】
これにより、受信側である外部装置が受信可能なサイズを超過した画像データを、効果的な方法で送信することができる画像処理プログラムを提供することができる。送信する画像データは、ここでは画像読込手段により読み込まれた画像データである。
【００３１】
また、上記の目的を達成するために、本発明の記録媒体は、前記画像処理プログラムを記憶するための記録媒体であるように構成することができる。
【００３２】
これにより、受信側である外部装置が受信可能なサイズを超過した画像データを、効果的な方法で送信することができる画像処理プログラムを記憶した記録媒体を提供することができる。送信する画像データは、ここでは画像読込手段により読み込まれた画像データである。
【発明の効果】
【００３３】
本発明の画像処理装置、画像処理システム、画像処理方法、画像処理プログラム及び記憶媒体によれば、受信側が受信可能なサイズを超過した画像データを、効果的な方法で送信することができることができる。
【発明を実施するための最良の形態】
【００３４】
以下、本発明を実施するための最良の形態を各実施形態において図面に基づき説明する。
［第１の実施形態］
（システムの概要）
まず、本発明の第１の実施形態に係る画像処理装置を用いたシステム構成について図１を用いて説明する。図１は、本実施形態１の画像処理装置１を用いたシステムの概要を示す図である。
【００３５】
図１において、画像処理装置１は、ＬＡＮ等のネットワークを介して外部装置２と接続されている。画像処理装置１は、後述の機能の構成及び各実施例で示される動作により、外部装置２に対して画像データ等のデータを送信する。なお、フォルダ配信でもよい。
【００３６】
（機能の構成）
次に、本実施形態１の画像処理装置１の機能の構成例について図２を用いて説明する。図２は、本実施形態１の画像処理装置１の機能ブロック図の例である。
【００３７】
図２において、画像処理装置１は、画像読込手段１１０、サイズ超過判定手段１２０、超過対応処理手段１３０、送信手段１４０、送信エラー検出手段１５０、制御手段１６０、画像データ記憶手段１７０を有する。
【００３８】
画像読込手段１１０は、原稿画像を画像データとして読み込む。例えば、スキャナ等である。サイズ超過判定手段１２０は、画像データのサイズ、又は、画像データをファイルにしたもののファイルサイズが所定のサイズを超過しているか否かを判定する。ここで示す画像データとは、例えば、画像読込手段１１０により読み込まれた画像データである。
【００３９】
超過対応処理手段１３０は、画像データに所定の超過対応処理を施す。例えば、サイズ超過判定手段１２０により画像データのファイルサイズが所定のファイルサイズを超過していると判定されると、この画像データにファイルサイズの削減等の所定の超過対応処理を施す。送信手段１４０は、画像データを外部装置２等（図１参照）に送信する。例えば、画像データを添付ファイルとして添付させたメールを外部装置２に対して送信する。なお、所定のフォルダに決められた形式で配信するフォルダ配信を行う場合もある。
【００４０】
送信エラー検出手段１５０は、送信手段１４０による送信に係るエラーを検出する。例えば、送信先である外部装置２から送信エラーに係る情報、例えばエラーメール、を受信することにより行う。制御手段１６０は、前述の画像読込手段１１０、サイズ超過判定手段１２０、超過対応処理手段１３０、送信手段１４０、送信エラー検出手段１５０及び画像データ記憶手段１７０等の制御を行う。画像データ記憶手段１７０は、画像データを記憶する。例えば、ＨＤＤ（Ｈａｒｄ  Ｄｉｓｋ  Ｄｒｉｖｅ）等である。
【００４１】
以上の機能の構成により、本実施形態１の画像処理装置１では、画像読込手段１１０により読み込まれた画像データは、送信手段１４０により図示しない外部装置２等に送信される。なお、画像データは、サイズ超過判定手段１２０、超過対応処理手段１３０等による画像処理を施される。これらの動作の詳細については、以降の各実施例において説明を行う。
【００４２】
（実施例１）
次に、本実施形態１の画像処理装置の第１の実施例について図３を用いて説明する。図３は、本実施形態１の画像処理装置の実施例１に係る動作フローを示す図である。
【００４３】
ここでは、本実施形態１の画像処理装置１は、画像読込手段１１０であるスキャナにより読み込まれた画像データを図示しない外部装置２等に送信する際、画像データのサイズが所定のサイズを超過している場合に、所定の超過対応処理を行って送信する動作を行う。
【００４４】
まず、画像読込手段１１０は、画像を画像データとして読み込む（Ｓ１０１）。ここでは、画像読込手段１１０であるスキャナにより画像がスキャンされ画像データとして読み込まれる。次に、制御手段１６０は、ステップＳ１０１において読み込まれた画像データから送信用（画像）ファイルを作成する（Ｓ１０２）。ここでは、制御手段１６０は、画像データを送信ファイルの形式の一つであるＰＤＦ（登録商標）形式ファイルを作成する。なお、ＪＰＥＧ（登録商標）等の画像ファイルであっても高圧縮ＰＤＦであってもよい。
【００４５】
続いて、サイズ超過判定手段１２０は、ステップＳ１０２において作成された送信用（画像）ファイルのファイルサイズが所定のファイルサイズを超過しているか否かを判定する（Ｓ１０３）。超過していると判定すると（Ｓ１０３、ＹＥＳ）、ステップＳ１０４へ移る。超過していないと判定すると（Ｓ１０３、ＮＯ）、ステップＳ１０５へ移る。ここでは、予め画像処理装置１内（例えば、画像読込手段１１０であるスキャナ）に上限ファイルサイズ（ここでは、受信側である外部装置２が受信可能なファイルサイズ）を設定しておき、サイズ超過判定手段１２０は、ステップＳ１０２において作成された送信用（画像）ファイルのファイルサイズが設定された上限ファイルサイズを超過しているか否かを判定する。
【００４６】
ステップＳ１０４へ移った場合、超過対応処理手段１３０は、所定の超過対応処理を行う（Ｓ１０４）。ここでは、後述の超過対応処理の７つの例の内いずれか一つを超過対応処理として行うことにより画像データのファイルサイズを削減する。
【００４７】
超過対応処理の第１の例は、ＯＣＲ処理である。まず、対象画像を、文字領域、写真領域、図領域などの属性を識別する領域識別処理により分離を行う。なお、領域識別処理については従来技術であるためここでは説明を省略する。次に、文字領域に対しては、ＯＣＲ処理により文字コードを得る。ここで、得られた文字コード（テキスト）以外を削除し、テキストのみを抽出することにより、大幅なファイルサイズ削減が可能になる。また、領域識別処理によって分離されたテキスト領域には、テキストを、テキスト領域は削除し、それ以外の部分は背景画像として送ることによりファイルサイズを削減することも可能である。これは、テキスト領域が、一般に高周波成分を多く含み、例えば、ＪＰＥＧ圧縮を行う場合にもファイルサイズの増加の原因になっていることに因る。
【００４８】
超過対応処理の第２の例は、画像の一部を切り出す処理である。即ち、領域識別処理によって分離された各領域の中から必要な部分領域をユーザが指定し、その部分のみ抽出することにより、ファイルサイズの削減を実現できる。ここで、部分領域は、対象画像データ上に、部分領域であることを示す枠を表示したり、色を変えて領域として表示したりするなどすることによりユーザは認識、選択をすることができる。
【００４９】
超過対応処理の第３の例は、画像データの不要な部分を削除する処理である。画像読込手段１１０であるスキャナにより原稿画像をスキャン時に、画像の周囲に黒べた部が生じてしまうことがある。また、原稿画像の余白等削除しても影響の小さい部分もある。これらをユーザが指定したり、周囲の黒べた部を認識及び削除したりすることによりファイルサイズは削減される。なお、周囲の黒べた部の認識及び削除は、特開２００２−２７１６２９に開示された発明により可能である。特開２００２―２７１６２９に開示された発明では、画像をスキャンする際に周辺の黒べた部を除去することにより、画像をきれいに補正するクロッピング補正と言われる方法が示されている。
【００５０】
超過対応処理の第４の例は、カラーの階調数を落とす処理である。例えば、画像の階調値をカラー２４ｂｉｔからカラー８ｂｉｔや、グレー、２値等に落としたりすることによりファイルサイズは削減される。
【００５１】
超過対応処理の第５の例は、解像度を落とす処理である。例えば、画像の解像度を４００ｄｐｉから２００ｄｐｉに落とすことによりファイルサイズは削減される。
【００５２】
超過対応処理の第６の例は、ＪＰＥＧ等圧縮率を変える処理である。例えば、ＪＰＥＧ等の圧縮パラメータを変えることによりファイルサイズは削減される。
【００５３】
超過対応処理の第７の例は、孤立点ノイズを除去する処理である。例えば、２値画像の場合、ｎ×ｍ（ｎ＝ｍでも可）よりも小さい黒連結成分を孤立点とみなし除去を行う。この処理により孤立点以外にも、タイトル部分などを強調するために用いられる網点等も除去することができ、ファイルサイズの削減は可能になる。
【００５４】
なお、ステップＳ１０４では前述の超過対応処理の第１の例で示されるＯＣＲ（Ｏｐｔｉｃａｌ  Ｃｈａｒａｃｔｅｒ  Ｒｅｃｏｇｎｉｔｉｏｎ）を所定の超過対応処理として行う。続いて、ステップＳ１０５へ移ると、送信手段１４０は送信用（画像）ファイルを送信する（Ｓ１０５）。
【００５５】
以上の処理により、本実施形態１の画像処理装置１では、画像読込手段１１０により読み込まれた画像データを図示しない外部装置２等に送信する際、送信用（画像）ファイルが所定のファイルサイズ（ここでは、受信側である外部装置２が受信可能なファイルサイズ）を超過している場合に、ファイルサイズを削減する処理を行って、送信する動作を行う。
【００５６】
そのため、以下に掲げる効果を奏する。その効果とは、受信側である外部装置２が受信可能なファイルサイズを超過した画像データを、ファイルサイズの削減等を行うことにより送信することができることである。なお、ここで示す送信する画像データは、画像読込手段１１０により読み込まれた画像データである。
【００５７】
（実施例２）
次に、本実施形態１の画像処理装置の第２の実施例について図４を用いて説明する。図４は、本実施形態１の画像処理装置の実施例２に係る動作フローを示す図である。
【００５８】
実施例１では、画像読込手段１１０により読み込まれた画像データを図示しない外部装置２等に送信する際、送信用（画像）ファイルが所定のファイルサイズを超過している場合に、ファイルサイズを削減する処理を行って送信する動作を行った。ここでは、まず、画像読込手段１１０により読み込まれた画像データを図示しない外部装置２等にメール送信する。次に、送信時にエラーが発生したとき、送信用（画像）ファイルが所定のファイルサイズを超過している場合に、ファイルサイズを削減する処理を行って、メール再送信する動作を行う。
【００５９】
ステップＳ２０１〜Ｓ２０２及びＳ２０６〜Ｓ２０７に係る処理は、実施例１におけるステップＳ１０１〜Ｓ１０２及びＳ１０４〜Ｓ１０５と同様であるので、ここでは説明を省略する。
【００６０】
ステップＳ２０３へ移って、送信手段１４０は送信用（画像）ファイルをメール送信する（Ｓ２０３）。送信手段１４０は、ステップＳ２０２において制御手段１６０により画像データを元に作成された送信ファイルの形式の一つであるＰＤＦ（登録商標）形式ファイルをメールに添付して送信する。
【００６１】
続いて、送信エラー検出手段１６０は、ステップＳ２０３における送信エラーを検出する（Ｓ２０４）。ここでは、図示しないメールサーバ等からエラーメールが戻ってくる。送信エラー検出手段１６０は、これを検出する。なお、フォルダ配信の場合、配信先のフォルダが存在しないなどに送信エラーが生じ、これを検出する。
【００６２】
続いてステップＳ２０５へ移って、サイズ超過判定手段１２０は、ステップＳ２０４において検出されたエラーの内容を解析することにより送信用（画像）ファイルが所定のファイルサイズを超えているか否かを判定する（Ｓ２０５）。超過していると判定すると（Ｓ２０５、ＹＥＳ）、ステップＳ２０６へ移る。超過していないと判定すると（Ｓ２０５、ＮＯ）、ここでは処理を終了する。
【００６３】
ここでは、エラーメールの内容は、該当ユーザがいない場合、サイズ超過に係る場合、等様々な場合がある。該当ユーザがいない場合には「Ｕｓｅｒ  Ｕｎｋｎｏｗｎ」等所定のキーワードが含まれている。サイズ超過に係る場合にも同様に、所定のキーワードが含まれている。サイズ超過判定手段１５０は、エラーメールの内容を解析することにより送信用（画像）ファイルが所定のファイルサイズを超過しているか否かを判定する。なお、解析の結果は、画像処理装置１の図示しない操作パネル等で表示してもよい。
【００６４】
以降のステップＳ２０６及びＳ２０７に係る処理は実施例１におけるステップＳ１０４及びＳ１０５と同様である。
【００６５】
以上の処理により、本実施形態１の実施例２に係る画像処理装置は、まず、画像読込手段１１０により読み込まれた画像データを図示しない外部装置２等にメール送信する。次に、メール送信時にエラーが発生したとき、送信用（画像）ファイルが所定のファイルサイズを超過している場合に、ファイルサイズを削減する処理を行って、メール再送信する動作を行う。
【００６６】
そのため、以下に掲げる効果を奏する。その効果とは、受信側である外部装置２が受信可能なファイルサイズを超過した画像データを、ファイルサイズの削減等を行うことにより送信することができることである。なお、ここで示す送信するファイルは、画像読込手段１１０により読み込まれた画像データである。
【００６７】
なお、ステップＳ２０４の処理において、送信エラー検出手段１６０が、送信エラーを検出するまでに、即ち、ここでは図示しないメールサーバからエラーメールが戻ってくるまでに数時間程度の時間を要する場合がある。このときは、ユーザがすでに画像処理装置１を離れている場合があり、メールでユーザにエラーがあった旨を通知したり、画像処理装置１の図示しない操作パネル等により表示したりしてもよい。また、画像処理装置１がＭＦＰ等である場合は、エラーメッセージを印刷してもよい。
【００６８】
（実施例３）
次に、本実施形態１の画像処理装置の第３の実施例について図５を用いて説明する。図５は、本実施形態１の画像処理装置の実施例３に係る動作フローを示す図である。
【００６９】
ここでは、実施例１と実施例２を組み合わせた動作について説明を行う。
【００７０】
ステップＳ３０１〜Ｓ３０５に係る処理は、実施例１におけるステップＳ１０１〜Ｓ１０５と同様であるのでここでは説明を省略する。ステップＳ３０６〜Ｓ３０９に係る処理は、実施例２におけるステップＳ２０４〜Ｓ２０７と同様であるのでここでは説明を省略する。
【００７１】
以上の処理により、本実施形態１の実施例３に係る画像処理装置は、まず、画像読込手段１１０により読み込まれた画像データを図示しない外部装置２等に送信する際、印刷用（画像）ファイルが所定のファイルサイズを超過している場合に、ファイルサイズを削減する処理を行って送信する（Ｓ３０１〜Ｓ３０５）。次に、送信時にエラーが発生したとき、画像データが所定のファイルサイズを超過している場合に、ファイルサイズを削減する処理を行って、メール再送信する動作を行う（Ｓ３０６〜Ｓ３０９）。
【００７２】
そのため、以下に掲げる効果を奏する。その効果とは、実施例１及び実施例２における効果に加えて、画像処理装置１において設定された所定のファイルサイズと、外部装置２が受信可能なファイルサイズが異なる場合においても、ファイルの送信を行うことができることである。なお、ここで示す送信するファイルは、画像読込手段１１０により読み込まれた画像データである。
【００７３】
［第１の実施形態の変形例１］
次に、本実施形態１の第１の変形例に係る画像処理装置について説明を行う。本実施形態１の変形例１の画像処理装置の（システムの概要）（機能の構成）については実施形態１と同様であるとして説明を省略する。
【００７４】
このようなシステム構成及び機能の構成により、本実施形態１の変形例１の画像処理装置１では、画像データ記憶手段１７０により記憶された画像データは、送信手段１４０により図示しない外部装置２等に送信される。なお、画像データは、サイズ超過判定手段１２０、超過対応処理手段１３０等による画像処理を施される。これらの動作の詳細については、実施形態１に係る各実施例と、各実施例におけるステップＳ１０１（図３）、Ｓ２０１（図４）、Ｓ３０１（図５）の処理を除いて同様であるので説明を省略する。
【００７５】
実施形態１に係る各実施例におけるステップＳ１０１、Ｓ２０１、Ｓ３０１では、画像読込手段１１０であるスキャナにより原稿画像がスキャンされ画像データとして読み込まれる処理が行われた。本実施形態１の変形例１では、この処理を画像データ記憶手段１７０により記憶された画像データを読み込む、という処理におきかえることにより説明できる。
【００７６】
本実施形態１の変形例１のような機能構成及び動作により以下に掲げる効果を奏する。その効果とは、受信側である外部装置２が受信可能なファイルサイズを超過した画像データを、ファイルサイズの削減等を行うことにより送信することができることである。なお、ここで示す送信する画像データは、画像データ記憶手段１７０により記憶された画像データである。
【００７７】
［第１の実施形態の第２の変形例］
次に、本実施形態１の第２の変形例に係る画像処理装置について説明を行う。本実施形態１の変形例２の画像処理装置の（システムの概要）については実施形態１と同様であるとして説明を省略する。
【００７８】
次に、本実施形態１の変形例２の画像処理装置１の機能の構成例について図６を用いて説明する。図６は、本実施形態１の変形例２の画像処理装置１の機能ブロック図の例である。
【００７９】
ここでは、図２で示される実施形態１における機能の構成に加えて、ファイル記憶手段２８０を有する。その他の各機能については、実施形態１と同様であるものとして説明を省略する。
【００８０】
ファイル記憶手段２８０は、アプリケーションファイルを画像データとして記憶する。例えば、ＨＤＤ（Ｈａｒｄ  Ｄｉｓｋ  Ｄｒｉｖｅ）等である。
【００８１】
以上の機能の構成により、本実施形態１の変形例２の画像処理装置１では、ファイル記憶手段２８０により記憶された画像データは、送信手段１４０により図示しない外部装置２等に送信される。なお、画像データは、サイズ超過判定手段１２０、超過対応処理手段１３０等による画像処理を施される。これらの動作の詳細については、実施形態１に係る各実施例と、各実施例におけるステップＳ１０１（図３参照）、Ｓ２０１（図４参照）、Ｓ３０１（図５参照）の処理を除いて同様であるので説明を省略する。
【００８２】
実施形態１に係る各実施例におけるステップＳ１０１、Ｓ２０１、Ｓ３０１では、画像読込手段１１０であるスキャナにより原稿画像がスキャンされ画像データとして読み込まれる処理が行われた。本実施形態１の変形例１では、この処理をファイル記憶手段２８０により保存された画像データを読み込むという処理におきかえることにより説明できる。
【００８３】
なお、ファイル記憶手段２８０が行う動作であるアプリケーションファイルを画像データとして記憶する処理に関して以下に補足説明を行う。
【００８４】
ファイル記憶手段２８０は、ワープロソフトや表計算ソフト、プレゼンテーションソフト等により作成されたアプリケーションファイルを、プリンタドライバでＰＤＬ（Ｐａｇｅ  Ｄｅｓｃｒｉｐｔｉｏｎ  Ｌａｎｇｕａｇｅ）に変換し画像データして記憶する。また、アプリケーションファイルでは、ＰＤＬ変換時に画像データとテキストデータを分離して取り出すことが可能である。そのため、超過対応処理手段２３０は、前述のステップＳ１０４（図３参照）において前述の超過対応処理の第１の例で示されるＯＣＲ処理を行うことを想定した場合、ＯＣＲ処理を行わずにテキストデータを抽出することが可能となる。これを図７の本実施形態１の変形例２の画像処理装置に係る動作フローを示す図のステップＳ４０１〜Ｓ４０３の処理にて示す。なお、図７において、黒線枠で囲まれた動作フローは、実施形態１の実施例１〜３等のいずれかと同等であるものとする。
【００８５】
本実施形態１の変形例２のような構成及び動作により以下に掲げる効果を奏する。その効果とは、受信側である外部装置２が受信可能なファイルサイズを超過した画像データを、ファイルサイズの削減等を行うことにより送信することができることである。なお、ここで示す送信する画像データは、ファイル記憶手段２８０に記憶された画像データである。
【００８６】
［第２の実施形態］
（システムの概要）
次に、本発明の第２の実施形態に係る画像処理装置を用いたシステム構成について図８を用いて説明する。図８は、本実施形態２の画像処理装置１を用いたシステムの概要を示す図である。
【００８７】
図８において、画像処理装置１は、ＬＡＮ等のネットワークを介してメールサーバ３と接続されている。更に、メールサーバ３は、ＷＡＮ等のネットワークを介して外部装置２と接続されている。画像処理装置１は、後述の機能の構成及び各実施例で示される動作により、外部装置２に対して画像データ等のデータを送信する。なお、図８における画像処理装置１とメールサーバ３を含めたものを画像処理システム（又は画像処理装置）としてもよいものとする。
【００８８】
また、詳細には以降の各実施例において行うが、画像処理装置１は、メールサーバ３を介して外部装置２と情報の送受信を行う。このときの情報の送受信を、ＳＭＴＰ（Ｓｉｍｐｌｅ  Ｍａｉｌ  Ｔｒａｎｓｆｅｒ  Ｐｒｏｔｏｃｏｌ）等、ユーザがすでにシステムで使っているプロトコルで行うことで、新たな通信ポートを開く必要がなく、したがってセキュリティレベルを低下させることなく実施することが可能になる。
【００８９】
（機能の構成）
次に、本実施形態１の画像処理装置１の機能の構成例について図９を用いて説明する。図９は、本実施形態１の画像処理装置１の機能ブロック図の例である。
【００９０】
図９において、画像処理装置１は、画像読込手段３１０、サイズ超過判定手段３２０、超過対応処理手段３３０、送信手段３４０、送信エラー検出手段３５０、制御手段３６０、画像データ記憶手段３７０、ファイル記憶手段３８０、送信エラー通知手段３９０、受信手段４００を有する。
【００９１】
ここでは、図６で示される実施形態１の変形例２における機能の構成に加えて、送信エラー通知手段３９０、受信手段４００を有する。その他の各機能については、実施形態１の変形例２と同様であるものとして説明を省略する。
【００９２】
送信エラー通知手段３９０は、送信手段３４０による送信に係るエラーを外部装置２に通知する。例えば、送信先である外部装置２に送信エラーに係る情報、例えばエラーメール、を送信することにより行う。受信手段４００は、外部装置２から情報を受信する。受信する情報とは、例えば超過対応処理の指示である。
【００９３】
以上の機能の構成により、本実施形態２の画像処理装置１では、画像読込手段３１０により読み込まれた画像データは、サイズ超過判定手段３２０、超過対応処理手段３３０等による画像処理を施され、送信手段３４０により外部装置２に送信される。次に、外部装置２の有する各機能について説明を行う。
【００９４】
受信手段４１０は、画像処理装置１から送信された画像データを受信する。例えば、画像データを添付ファイルとして添付したメールを受信する。結合手段４２０は、分割された画像データを結合する。例えば、受信手段４１０が分割された画像データを受信したとき、同じく受信手段４１０が受信したファイルのヘッダに付加された分割情報に基づいて分割された画像データの合成等を行う。
【００９５】
記憶手段４３０は、画像データを記憶する。例えば、結合手段４２０により結合された画像データを記憶する。制御手段４４０は、前述の受信手段４１０、結合手段４２０、保存手段４３０等を制御する。
【００９６】
以上の機能の構成により、外部装置２は、画像処理装置１から送信された画像データを受信して、受信した画像データが分割されたデータであるような場合には結合手段４２０により結合等を行い記憶する。これらの動作の詳細については、以降の各実施例において説明を行う。
【００９７】
（実施例）
次に、本実施形態２の画像処理装置の実施例について図１１を用いて説明する。図１１は、本実施形態２の実施例に係る動作シーケンスの例を示す図である。
【００９８】
ここでは、本実施形態２の画像処理装置１は、既に画像読込手段１１０により読み込まれた画像データに基づいて作成された印刷用（画像）ファイルを受信側である外部装置２にメールサーバ３を介して送信する。印刷用（画像）ファイルが所定のファイルサイズを超過している場合に、画像データを一時記憶し、外部装置２に送信エラーを通知する（ここまでの処理はＳ５０１〜Ｓ５０４参照）。送信エラーの通知を受けた外部装置２は、画像を受信する場合はユーザ指示を受けて画像処理装置１に超過対応処理の指示を通知する。
【００９９】
続いて、外部装置２からの超過対応処理指示の通知を受けた画像処理装置１は、一時記憶された画像データに所定の超過対応処理を行い、外部装置２に送信する（Ｓ５０５〜Ｓ５０８参照）。それでは、図１１を用いて詳細に説明を行う。
【０１００】
ステップＳ５０１及びＳ５０２に係る処理は、ステップＳ２０３及びＳ２０５に係る処理と同様であるので、ここでは説明を省略する。ステップＳ５０３へ移って、画像データ記憶手段３７０は、ステップＳ５０１において送信した送信用（画像）ファイルを一時記憶する（Ｓ５０３）。
【０１０１】
次に、送信エラー通知手段３９０は、送信エラーを外部装置２に通知する（Ｓ５０４）。ここでは、送信エラー通知手段３９０は、送信用（画像）ファイルが所定のファイルサイズを超過しているエラーがあったという旨の通知を外部装置２に行う。
【０１０２】
ステップＳ５０５へ移って、受信手段４００は、超過対応処理の指示を受信する（Ｓ５０５）。ここではまず、ステップＳ５０４の処理により送信エラーの通知を受けた外部装置２において、ユーザからの超過対応処理の指示を受けた外部装置２は、メールサーバ３に超過対応処理の指示を通知する。ここで受信手段４００は、超過対応処理の指示を受信する。
【０１０３】
続いて、超過対応処理手段３２０は、所定の超過対応処理を行う（Ｓ５０６）。ここでは、超過対応処理の１例である、複数のファイル（又はメール）に分割する処理を行うことにより、ステップＳ５０３において一時記憶したファイルを複数のファイル（又はメール）に分割する。なお、実施形態１の実施例１に係るステップＳ１０４において説明を行った超過対応処理の７つの例の内いずれか一つを超過対応処理として行うことにより、送信用（画像）ファイルのファイルサイズを削減してもよい。なお、複数のファイル（又はメール）に分割する処理とは、複数枚スキャンした画像を、１枚ずつの画像にして複数のメールを作成したり、又は、１枚の画像を複数に分割したりする処理である。
【０１０４】
ステップＳ５０７へ移って、送信手段３４０は送信用（画像）ファイルを送信する（Ｓ５０７）。ここでは、送信手段３４０は、ステップＳ５０６において複数のファイルに分割された送信用（画像）ファイルの一つを送信する。
【０１０５】
ステップＳ５０８へ移って、受信手段４００は、超過対応処理の指示を受信する（Ｓ５０８）。なお、ここで受信する超過対応処理の指示は、ステップＳ５０５におけるそれと同一でなくてもよい。ユーザが送信用（画像）ファイルの中で必要な部分の切り出しや、分割送信等の中から必要な処理を選択したものであってよい。続いて、超過対応処理手段３２０は、所定の超過対応処理を行う（Ｓ５０９）。
【０１０６】
ステップＳ５１０へ移って、送信手段３４０は送信用（画像）ファイルを送信する（Ｓ５１０）。ここでは、送信手段３４０は、ステップＳ５０９で所定の超過対応処理を施された送信用（画像）ファイルを送信する。
【０１０７】
以上の処理により、既に画像読込手段１１０により読み込まれた画像データに基づいて作成された印刷用（画像）ファイルを受信側である外部装置２にメールサーバ３を介して送信する。印刷用（画像）ファイルが所定のファイルサイズを超過している場合に、画像データを一時記憶し、外部装置２に送信エラーを通知する。送信エラーの通知を受けた外部装置２は、画像を受信する場合はユーザ指示を受けて画像処理装置１に超過対応処理の指示を通知する。
【０１０８】
続いて、外部装置２からの超過対応処理指示の通知を受けた画像処理装置１は、一時記憶された画像データに所定の超過対応処理を行い、外部装置２に送信する。
【０１０９】
なお、外部装置２は、受信手段４１０、結合手段４２０、記憶手段４３０の機能を用いて画像処理装置１から分割受信した場合の印刷用（画像）ファイルを結合して記憶する処理を行う。即ち、外部装置２は、画像合成を行う画像合成装置であってもよい。
【０１１０】
以上の動作により以下に掲げる効果を奏する。その効果とは、受信側である外部装置２が受信可能なファイルサイズを超過した画像データを、ファイルの分割等を行うことにより効果的に送信することができることである。なお、ここで示す送信する画像データは、記憶読込手段３１０により読み込まれた画像データである。また、受信側である外部装置２からユーザ操作により受信する画像データを選択することができることである。また、ステップＳ５０８〜Ｓ５１０の処理を繰り返すことにより受信側である外部装置２は、画像処理装置１から画像データを受信することが可能になる。
【０１１１】
なお、ステップＳ５０４の処理において、予め画像処理装置１内で指定されている超過対応処理を自動で行うことにより、エラーメッセージのみならず縮小画像等を送信することも可能である。
【０１１２】
ここでは、図９に示される本実施形態の画像処理装置１の機能を、図１０の特にステップＳ５０１〜Ｓ５０４で示される処理は、画像処理装置１及びメールサーバ３において実施される。即ち、画像処理装置１及びメールサーバ３をまとめたものを、本発明の一実施形態に係る画像処理装置又は画像処理システムとすることもできる。このとき、図１０上の画像処理装置１は、画像処理装置１内の画像読込手段３１０であって、メールサーバ３は、画像処理装置１内の画像読込手段３１０以外の機能を実現するものであるとしてもよいものとする。
【０１１３】
（実施例の変形例）
次に、本実施形態２の画像処理装置の実施例の変形例について図１１を用いて説明する。図１１は、本実施形態２の実施例の変形例に係る動作シーケンスの例を示す図である。
【０１１４】
ステップＳ６０１〜Ｓ６１２で示される処理により、特に実施例のステップＳ５０５〜Ｓ５０８で示される動作と同様に受信側である外部装置２からユーザ操作により受信する画像データを選択することができる。
【０１１５】
以上、各実施形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【０１１６】
【図１】本実施形態１の画像処理装置１を用いたシステムの概要を示す図である。
【図２】本実施形態１の画像処理装置１の機能ブロック図の例である。
【図３】本実施形態１の画像処理装置の実施例１に係る動作フローを示す図である。
【図４】本実施形態１の画像処理装置の実施例２に係る動作フローを示す図である。
【図５】本実施形態１の画像処理装置の実施例３に係る動作フローを示す図である。
【図６】本実施形態１の変形例１の画像処理装置１の機能ブロック図の例である。
【図７】本実施形態１の変形例２の画像処理装置１の機能ブロック図の例である。
【図８】本実施形態１の変形例２の画像処理装置に係る動作フローを示す図である。
【図９】本実施形態２の画像処理装置１を用いたシステムの概要を示す図である。
【図１０】本実施形態２の画像処理装置の実施例に係る動作シーケンスの例を示す図である。
【図１１】本実施形態２の画像処理装置の実施例の変形例に係る動作シーケンスの例を示す図である。
【符号の説明】
【０１１７】
１  画像処理装置
２  外部装置
３  メールサーバ
１１０、２１０、３１０  画像読込手段
１２０、２２０、３２０  サイズ超過判定手段
１３０、２３０、３３０  超過対応処理手段
１４０、２４０、３４０  送信手段
【図１】
2008147962.tif 000003
【図２】
2008147962.tif 000004
【図３】
2008147962.tif 000005
【図４】
2008147962.tif 000006
【図５】
2008147962.tif 000007
【図６】
2008147962.tif 000008
【図７】
2008147962.tif 000009
【図８】
2008147962.tif 000010
【図９】
2008147962.tif 000011
【図１０】
2008147962.tif 000012
【図１１】
2008147962.tif 000013